(57)【特許請求の範囲】
【請求項１】
少なくとも３つの予備苗のせ台を上下方向に所定間隔を置いて配置した第１状態を設定して、
前記第１状態で上下方向に隣接する３つの予備苗のせ台の上段、中段及び下段の予備苗のせ台において、前記上段の予備苗のせ台が前記中段の予備苗のせ台の前側に位置し、前記下段の予備苗のせ台が前記中段の予備苗のせ台の後側に位置して、前記上段、中段及び下段の予備苗のせ台が一列状に配置された第２状態を設定し、
機体に支持された支持フレームの機体左右方向の前横軸芯周りに、第１リンク部材を揺動自在に支持し、前記支持フレームにおける前記前横軸芯よりも後側の機体左右方向の後横軸芯周りに、第２リンク部材を揺動自在に支持して、
前記第１リンク部材における前記前横軸芯の上側の機体左右方向の第１横軸芯周りに、前記中段の予備苗のせ台を揺動自在に接続し、前記第１リンク部材における前記第１横軸芯の上側の機体左右方向の第２横軸芯周りに、前記上段の予備苗のせ台を揺動自在に接続し、前記第１リンク部材における前記前横軸芯の下側の機体左右方向の第３横軸芯周りに、前記下段の予備苗のせ台を揺動自在に接続し、
前記第１及び第２リンク部材とは別の第３リンク部材の下部の機体左右方向の第４横軸芯周りに、前記中段の予備苗のせ台を揺動自在に接続し、前記第３リンク部材の上部の機体左右方向の第５横軸芯周りに、前記上段の予備苗のせ台を揺動自在に接続し、
前記第２リンク部材における前記後横軸芯の上側の機体左右方向の第６横軸芯周りに、前記中段の予備苗のせ台を揺動自在に接続し、前記第２リンク部材における前記後横軸芯の下側の機体左右方向の第７横軸芯周りに、前記下段の予備苗のせ台を揺動自在に接続して、
前記第１，２，３リンク部材を揺動操作することにより、前記上段、中段及び下段の予備苗のせ台を前記第１及び第２状態に操作自在に構成している乗用型田植機。
【請求項２】
前記第１状態において、前記第１，２，３リンク部材が後上がりの斜め姿勢となり、前記第１リンク部材の上側に前記第３リンク部材が位置し、前記第１リンク部材の下側に前記第２リンク部材が位置して、前記第１，２，３リンク部材が上下方向に並ぶように構成している請求項１に記載の乗用型田植機。
【請求項３】
前記中段の予備苗のせ台の前後中間部に前記第１横軸芯が位置し、前記中段の予備苗のせ台の前部に前記第４横軸芯が位置し、前記中段の予備苗のせ台の後部に前記第６横軸芯が位置し、
前記上段の予備苗のせ台の前後中間部に前記第５横軸芯が位置し、前記上段の予備苗のせ台の後部に前記第２横軸芯が位置し、
前記下段の予備苗のせ台の前後中間部に前記第７横軸芯が位置し、前記下段の予備苗のせ台の前部に前記第３横軸芯が位置するように構成している請求項２に記載の乗用型田植機。
【請求項４】
前記上段の予備苗のせ台を支持する為の上段の支持部材と、前記中段の予備苗のせ台を支持する為の中段の支持部材と、前記下段の予備苗のせ台を支持する為の下段の支持部材とを備えて、
前記第１リンク部材の前記第１横軸芯周りに前記中段の支持部材を揺動自在に接続し、前記第１リンク部材の前記第２横軸芯周りに前記上段の支持部材を揺動自在に接続し、前記第１リンク部材の前記第３横軸芯周りに前記下段の支持部材を揺動自在に接続し、
前記第３リンク部材の前記第４横軸芯周りに前記中段の支持部材を揺動自在に接続し、前記第３リンク部材の前記第５横軸芯周りに前記上段の支持部材を揺動自在に接続し、
前記第２リンク部材の前記第６横軸芯周りに前記中段の支持部材を揺動自在に接続し、前記第２リンク部材の前記第７横軸芯周りに前記下段の支持部材を揺動自在に接続することにより、
前記上段、中段及び下段の予備苗のせ台が、前記上段、中段及び下段の支持部材を介して前記第１，２，３リンク部材に接続されるように構成している請求項１〜３のうちのいずれか一つに記載の乗用型田植機。
【請求項５】
前記支持フレームの横外側に前記第１及び第２リンク部材を配置し、前記第１，２，３リンク部材の横外側に前記上段、中段及び下段の支持部材を配置して、
前記上段、中段及び下段の予備苗のせ台を、前記上段、中段及び下段の支持部材から前記支持フレームとは反対側の横外方に向けて延出されるように、前記上段、中段及び下段の支持部材に片持ち状に支持している請求項４に記載の乗用型田植機。
【請求項６】
前記上段の支持部材の前端部が前記上段の予備苗のせ台の前端部よりも後側に位置している請求項４又は５に記載の乗用型田植機。
【請求項７】
前記第１及び第２リンク部材に接当することにより前記第１及び第２リンク部材を前記第１状態で止める接当部を備えている請求項１〜６のうちのいずれか一つに記載の乗用型田植機。
【発明の詳細な説明】
【技術分野】
【０００１】
本発明は、乗用型田植機における予備苗のせ台の構造に関する。
【背景技術】
【０００２】
乗用型田植機においては、特許文献１に開示されているように、機体に固定された支持フレーム（特許文献１の図１及び図５の２５）に、予備苗のせ台（特許文献１の図１及び図５の２７）を上下方向に所定間隔を置いて取り付けているものが多くある。
特許文献１では、最上位置の予備苗のせ台（特許文献１の図１及び図５の２７（ｕ））及び最下位置の予備苗のせ台（特許文献１の図１及び図５の２７（ｄ））を、支持フレームから取り外し、中間位置の予備苗のせ台（特許文献１の図１及び図５の２７（ｍ））の前部及び後部に取り付けて、予備苗のせ台を一列状に配置することができる（特許文献１の図３及び図４参照）。
【０００３】
このように予備苗のせ台を一列状に配置することにより、畦から苗のせ台（特許文献１の図３及び図４の１５）に苗を供給する場合、畦から苗を前部の予備苗のせ台に供給し、予備苗のせ台に載せた状態で後方に移動させ、後部の予備苗のせ台から苗のせ台に供給することができる。苗のせ台への苗の供給が終了すると、予備苗のせ台の各々に苗を載置する。
【先行技術文献】
【特許文献】
【０００４】
【特許文献１】特開２００７−２８２５４８号公報
【発明の概要】
【発明が解決しようとする課題】
【０００５】
予備苗のせ台を一列状に配置した状態では、予備苗のせ台が機体から前方に突出して、畦際での旋回等が行い難くなるので、乗用型田植機では一般に、予備苗のせ台を上下方向に所定間隔を置いて配置した状態（特許文献１の図１及び図２参照）で、苗の植付作業を行う。
【０００６】
特許文献１では、予備苗のせ台を上下方向に所定間隔を置いて配置した状態、及び、予備苗のせ台を一列状に配置した状態を得る場合、予備苗のせ台を支持フレームに取り付けたり取り外したり、中間位置の予備苗のせ台の前部及び後部に取り付けたり取り外したりする作業を行う必要があるので、操作性と言う面で改善の余地がある。
本発明は乗用型田植機において、予備苗のせ台を上下方向に所定間隔を置いて配置した状態、及び、予備苗のせ台を一列状に配置した状態を容易に得ることができるように構成することを目的としている。
【課題を解決するための手段】
【０００７】
［Ｉ］
（構成）
本発明の第１特徴は、乗用型田植機において次のように構成することにある。
少なくとも３つの予備苗のせ台を上下方向に所定間隔を置いて配置した第１状態を設定して、
前記第１状態で上下方向に隣接する３つの予備苗のせ台の上段、中段及び下段の予備苗のせ台において、前記上段の予備苗のせ台が前記中段の予備苗のせ台の前側に位置し、前記下段の予備苗のせ台が前記中段の予備苗のせ台の後側に位置して、前記上段、中段及び下段の予備苗のせ台が一列状に配置された第２状態を設定し、
機体に支持された支持フレームの機体左右方向の前横軸芯周りに、第１リンク部材を揺動自在に支持し、前記支持フレームにおける前記前横軸芯よりも後側の機体左右方向の後横軸芯周りに、第２リンク部材を揺動自在に支持して、
前記第１リンク部材における前記前横軸芯の上側の機体左右方向の第１横軸芯周りに、前記中段の予備苗のせ台を揺動自在に接続し、前記第１リンク部材における前記第１横軸芯の上側の機体左右方向の第２横軸芯周りに、前記上段の予備苗のせ台を揺動自在に接続し、前記第１リンク部材における前記前横軸芯の下側の機体左右方向の第３横軸芯周りに、前記下段の予備苗のせ台を揺動自在に接続し、
前記第１及び第２リンク部材とは別の第３リンク部材の下部の機体左右方向の第４横軸芯周りに、前記中段の予備苗のせ台を揺動自在に接続し、前記第３リンク部材の上部の機体左右方向の第５横軸芯周りに、前記上段の予備苗のせ台を揺動自在に接続し、
前記第２リンク部材における前記後横軸芯の上側の機体左右方向の第６横軸芯周りに、前記中段の予備苗のせ台を揺動自在に接続し、前記第２リンク部材における前記後横軸芯の下側の機体左右方向の第７横軸芯周りに、前記下段の予備苗のせ台を揺動自在に接続して、
前記第１，２，３リンク部材を揺動操作することにより、前記上段、中段及び下段の予備苗のせ台を前記第１及び第２状態に操作自在に構成している。
【０００８】
【０００９】
（作用）
本発明の第１特徴によると、機体左右方向の前及び後横軸芯周りに揺動自在な第１及び第２リンク部材に複数の予備苗のせ台を支持しており、第１及び第２リンク部材を揺動操作することにより、予備苗のせ台を第１及び第２リンク部材に取り付けたり取り外したりしなくても、予備苗のせ台を上下方向に所定間隔を置いて配置した第１状態、及び、予備苗のせ台を一列状に配置した第２状態を得ることができる。
これにより、第１状態及び第２状態を得る場合、特許文献１のように、予備苗のせ台を支持フレームに取り付けたり取り外したりする作業を行う必要がない。
【００１０】
【００１１】
【００１２】
（発明の効果）
本発明の第１特徴によると、乗用型田植機において、予備苗のせ台を第１及び第２リンク部材に取り付けたり取り外したりしなくても、予備苗のせ台を上下方向に所定間隔を置いて配置した第１状態、及び、予備苗のせ台を一列状に配置した第２状態を容易に得ることができるようになって、乗用型田植機の操作性を向上させることができた。
【００１３】
【００１４】
［ＩＩ］
（構成）
本発明の第２特徴は、本発明の第１特徴の乗用型田植機において次のように構成することにある。
前記第１状態において、前記第１，２，３リンク部材が後上がりの斜め姿勢となり、前記第１リンク部材の上側に前記第３リンク部材が位置し、前記第１リンク部材の下側に前記第２リンク部材が位置して、前記第１，２，３リンク部材が上下方向に並ぶように構成している。
【００１５】
【００１６】
［ＩＩＩ］
（構成）
本発明の第３特徴は、本発明の第２特徴の乗用型田植機において次のように構成することにある。
前記中段の予備苗のせ台の前後中間部に前記第１横軸芯が位置し、前記中段の予備苗のせ台の前部に前記第４横軸芯が位置し、前記中段の予備苗のせ台の後部に前記第６横軸芯が位置し、
前記上段の予備苗のせ台の前後中間部に前記第５横軸芯が位置し、前記上段の予備苗のせ台の後部に前記第２横軸芯が位置し、
前記下段の予備苗のせ台の前後中間部に前記第７横軸芯が位置し、前記下段の予備苗のせ台の前部に前記第３横軸芯が位置するように構成している。
［ＩＶ］
（構成）
本発明の第４特徴は、本発明の第１〜第３特徴の乗用型田植機のうちのいずれか一つにおいて次のように構成することにある。
前記上段の予備苗のせ台を支持する為の上段の支持部材と、前記中段の予備苗のせ台を支持する為の中段の支持部材と、前記下段の予備苗のせ台を支持する為の下段の支持部材とを備えて、
前記第１リンク部材の前記第１横軸芯周りに前記中段の支持部材を揺動自在に接続し、前記第１リンク部材の前記第２横軸芯周りに前記上段の支持部材を揺動自在に接続し、前記第１リンク部材の前記第３横軸芯周りに前記下段の支持部材を揺動自在に接続し、
前記第３リンク部材の前記第４横軸芯周りに前記中段の支持部材を揺動自在に接続し、前記第３リンク部材の前記第５横軸芯周りに前記上段の支持部材を揺動自在に接続し、
前記第２リンク部材の前記第６横軸芯周りに前記中段の支持部材を揺動自在に接続し、前記第２リンク部材の前記第７横軸芯周りに前記下段の支持部材を揺動自在に接続することにより、
前記上段、中段及び下段の予備苗のせ台が、前記上段、中段及び下段の支持部材を介して前記第１，２，３リンク部材に接続されるように構成している。
［Ｖ］
（構成）
本発明の第５特徴は、本発明の第４特徴の乗用型田植機において次のように構成することにある。
前記支持フレームの横外側に前記第１及び第２リンク部材を配置し、前記第１，２，３リンク部材の横外側に前記上段、中段及び下段の支持部材を配置して、
前記上段、中段及び下段の予備苗のせ台を、前記上段、中段及び下段の支持部材から前記支持フレームとは反対側の横外方に向けて延出されるように、前記上段、中段及び下段の支持部材に片持ち状に支持している。
【００１７】
［ＶＩ］
（構成）
本発明の第６特徴は、本発明の第４又は第５特徴の乗用型田植機において次のように構成することにある。
前記上段の支持部材の前端部が前記上段の予備苗のせ台の前端部よりも後側に位置している。
【００１８】
【００１９】
【００２０】
【００２１】
［ＶＩＩ］
（構成）
本発明の第７特徴は、本発明の第１〜第６特徴の乗用型田植機のうちのいずれか一つにおいて次のように構成することにある。
前記第１及び第２リンク部材に接当することにより前記第１及び第２リンク部材を前記第１状態で止める接当部を備えている。
【００２２】
【００２３】
【００２４】
【図面の簡単な説明】
【００２５】
【図１】参考形態における予備苗のせ台を第１状態に操作した状態での乗用型田植機の全体側面図
【図２】参考形態における予備苗のせ台を第１状態に操作した状態での乗用型田植機の全体平面図
【図３】参考形態における予備苗のせ台を第２状態に操作した状態での乗用型田植機の全体側面図
【図４】参考形態における予備苗のせ台を第２状態に操作した状態での乗用型田植機の全体平面図
【図５】参考形態における予備苗のせ台を第１状態に操作した状態での予備苗のせ台の正面図
【図６】参考形態における予備苗のせ台を第１状態に操作した状態での予備苗のせ台の平面図
【図７】参考形態における予備苗のせ台を第１状態に操作した状態での予備苗のせ台の側面図
【図８】参考形態における予備苗のせ台を第２状態に操作した状態での予備苗のせ台の側面図
【図９】参考形態における予備苗のせ台における阻止部材の付近の平面図
【図１０】参考形態における予備苗のせ台における阻止部材の付近の縦断側面図
【図１１】参考形態における予備苗のせ台におけるリンク部材の支持軸の付近の縦断正面図
【図１２】参考形態において、（ａ）予備苗のせ台を第１状態に保持した状態での予備苗のせ台におけるハンドル及び操作レバーの付近の縦断正面図、（ｂ）予備苗のせ台を第１状態に完全に操作する前に操作レバーから手を離した状態での予備苗のせ台におけるハンドル及び操作レバーの付近の縦断正面図
【図１３】参考形態における支持部材への予備苗のせ台の取付構造を示す縦断側面図
【図１４】参考形態における支持部材への予備苗のせ台の取付構造を示す縦断正面図
【図１５】参考形態における予備苗のせ台を第２状態から第１状態、第１状態から第２状態に操作する過程を示す側面図
【図１６】本発明の実施形態における予備苗のせ台の側面図
【発明を実施するための形態】
【００２６】
以下、本発明を明確にする為の参考形態を図１〜図１５に基づいて説明しており、図１６に基づいて本発明の実施形態を説明している。
［参考形態］
［１］
図１に示すように、前輪１及び後輪２で支持された機体の後部に、リンク機構３を介して６条植型式の苗植付装置５が昇降自在に支持され、リンク機構３を昇降駆動する油圧シリンダ４が備えられて、乗用型田植機が構成されている。
【００２７】
図１及び図２に示すように、機体の前部にエンジン１７を収容するボンネット１８が備えられており、運転座席１１とボンネット１８との間にフロア１９が備えられ、ボンネット１８の右及び左横側とフロア１９とに亘って、ステップ２０が備えられている。フロア１９及びステップ２０の右及び左横側に、補助ステップ２１が備えられており、補助ステップ２１は平面視において（図２参照）、前側ほど幅の狭くなる先細り状に構成されている。
【００２８】
次に、苗植付装置５について説明する。
図１及び図２に示すように、苗植付装置５は、４個の伝動ケース６、伝動ケース６の後部に回転駆動自在に支持された一対の回転ケース７、回転ケース７の両端に備えられた一対の植付アーム８、複数のフロート９、８個の苗のせ面を備えて左右方向に往復横送り駆動される苗のせ台１０等を備えて構成されている。
【００２９】
図１及び図２に示すように、運転座席１１の後側に、肥料を貯留するホッパー１２及び２つの植付条に対応した４個の繰り出し部１３が備えられており、運転座席１１の下側にブロア１４が備えられている。フロート９に８個の作溝器１５が固定されて、繰り出し部１３と作溝器１５とに亘って８本のホース１６が接続されている。
【００３０】
これにより、図１及び図２に示すように、苗のせ台１０が左右に往復横送り駆動されるのに伴って、回転ケース７が回転駆動され、苗のせ台１０の下部から植付アーム８が交互に苗Ａを取り出して田面に植え付ける。ホッパー１２から肥料が所定量ずつ繰り出し部１３によって繰り出されると、ブロア１４の送風により肥料がホース１６を通って作溝器１５に供給されるのであり、作溝器１５を介して肥料が田面に供給される。
【００３１】
［２］
次に、予備苗のせ台５１，５２，５３，５４の支持構造について説明する。
図１，２，５に示すように、機体の横側部の下部に固定された前支持フレーム２２（支持フレームに相当）が、補助ステップ２１の前端部付近の横外側から上方に延出され、機体の横側部の下部に固定された後支持フレーム２３（支持フレームに相当）が、補助ステップ２１の中間部付近の横外側から上方に延出されており、前及び後支持フレーム２２，２３の上部に亘って支持フレーム２４が固定されている。
【００３２】
図６及び図７に示すように、支持フレーム２４の上端部の前部の機体左右方向の横軸芯Ｐ３４（前横軸芯に相当）周りに、リンク部材３３（第２リンク部材に相当）の上部が揺動自在に支持されており、支持フレーム２４の上端部の後部の機体左右方向の横軸芯Ｐ２４（後横軸芯に相当）周りに、リンク部材３２（第１リンク部材に相当）の下部が揺動自在に支持されている。支持フレーム２４において、横軸芯Ｐ２４の位置よりも横軸芯Ｐ３４の位置が少し高いものに設定されており、横軸芯Ｐ２４，Ｐ３４の近傍に接当部２４ａ，２４ｂが固定されている。
【００３３】
図６及び図７に示すように、リンク部材３１（第３リンク部材に相当）が備えられており、リンク部材３１，３２の上部に亘って、支持部材４１がリンク部材３１，３２の機体左右方向の横軸芯Ｐ１１（第５横軸芯に相当），Ｐ２１（第２横軸芯に相当）周りに、揺動自在に接続されている。
リンク部材３１の下部、リンク部材３２の中間部及びリンク部材３３の上部に亘って、支持部材４２がリンク部材３１，３２，３３の機体左右方向の横軸芯Ｐ１２（第４横軸芯に相当），Ｐ２２（第１横軸芯に相当），Ｐ３１（第６横軸芯に相当）周りに、揺動自在に接続されている。
【００３４】
図７に示すように、リンク部材３４が備えられており、リンク部材３２の下部、リンク部材３３の中間部、及びリンク部材３４の上部に亘って、支持部材４３がリンク部材３２，３３，３４の機体左右方向の横軸芯Ｐ２３（第３横軸芯に相当），Ｐ３２（第７横軸芯に相当），Ｐ４１周りに揺動自在に接続されている。リンク部材３３，３４の下部に亘って、支持部材４４がリンク部材３３，３４の機体左右方向の横軸芯Ｐ３３，Ｐ４２周りに、揺動自在に接続されている。
【００３５】
以上のように、リンク部材３１〜３４及び支持部材４１〜４４により、パンタグラフが複数つながるような四連リンク機構が構成されており、図６及び図７に示すように、支持部材４１〜４４の各々に予備苗のせ台５１〜５４が横外方（図５の紙面右方及び図６の紙面下方）に向けて支持されている。
【００３６】
［３］
次に支持部材４１〜４４への予備苗のせ台５１〜５４の取付構造について説明する。
図６，７，１４に示すように、支持部材４１〜４４の前部及び後部に、コ字状のブラケット２５が固定され、予備苗のせ台５１〜５４の前部に２個の受け部２６が一体的に形成され、予備苗のせ台５１〜５４の後部に２個の受け部２６が一体的に形成されている。予備苗のせ台５１〜５４の前部の受け部２６の上部が、支持部材４１〜４４の前部のブラケット２５の前後方向の横軸芯Ｐ１周りに揺動自在に支持されている。
【００３７】
図１３及び図１４に示すように、支持部材４１〜４４の後部のブラケット２５の上部及び下部に開口部２５ａ，２５ｂが形成されており、開口部２５ａは横軸芯Ｐ１の延長線に位置している。予備苗のせ台５１〜５４の後部の受け部２６の上部及び下部に、開口部２６ａ，２６ｂが形成されている。
【００３８】
図６及び図１３に示すように、丸棒をＪ字状に折り曲げて構成された固定部材２７が備えられて、固定部材２７が支持部材４１〜４４の後部のブラケット２５の開口部２５ａ、予備苗のせ台５１〜５４の後部の受け部２６の開口部２６ａに亘って貫通しており、固定部材２７が横軸芯Ｐ１の延長線に位置している。これにより、図５に示すように、支持部材４１〜４４の前部及び後部のブラケット２５の横軸芯Ｐ１周りに、予備苗のせ台５１〜５４が揺動自在に支持される。
【００３９】
図５，１３，１４に示す状態は、予備苗のせ台５１〜５４を横向きの使用姿勢（図５の実線参照）に操作している状態であり、後述する予備苗のせ台５１〜５４の横壁部４０が支持部材４１〜４４のブラケット２５に接当して、予備苗のせ台５１〜５４が使用姿勢を超えて下方に揺動しない状態である。
【００４０】
図１３及び図１４に示すように、固定部材２７の先端部２７ａに止め部２７ｂが固定されており、固定部材２７を図１３の紙面右方に付勢するバネ２８が固定部材２７に取り付けられている。図１３及び図１４に示す状態は、固定部材２７の先端部２７ａを予備苗のせ台５１〜５４の受け部２６の開口部２６ｂ、及び支持部材４１〜４４のブラケット２５の開口部２５ｂに挿入し、固定部材２７の止め部２７ｂが予備苗のせ台５１〜５４の受け部２６に接当している状態であり、この状態で予備苗のせ台５１〜５４が使用姿勢に保持される（予備苗のせ台５１〜５４が使用姿勢を超えて上方に揺動しない状態）。
【００４１】
図１３の二点鎖線に示すように、バネ２８の付勢力に抗して固定部材２７を図１３の紙面左方にスライド操作し、固定部材２７の先端部２７ａを予備苗のせ台５１〜５４の受け部２６の開口部２６ｂ、及び支持部材４１〜４４のブラケット２５の開口部２５ｂから抜くことにより、予備苗のせ台５１〜５４を上向きの格納姿勢 (図５及び図１４の二点鎖線参照）に操作することができる。
前述のような、予備苗のせ台５１〜５４の使用及び格納姿勢への操作は、後述の［４］［５］に記載の予備苗のせ台５１〜５４の第１状態及び第２状態の両方において行うことができる。
【００４２】
［４］
次に、第１状態及び第２状態、予備苗のせ台５１〜５４の第１状態から第２状態への操作について説明する。
図５，６，７に示すように、支持部材４１の上部に、アーチ状のハンドル２９が固定されている。図７及び図１２（ａ）に示すように、支持部材４１の前部に支持軸３０が前後方向に沿って固定され、断面コ字状の操作部材３５が支持軸３０周りに揺動自在に支持されて、操作部材３５に操作レバー３６が固定されており、操作レバー３６がハンドル２９に沿うように配置されている。
【００４３】
図６，７，１２（ａ）に示すように、支持部材４１の前部の下部の延出部４１ａに開口部が形成され、支持部材４１の延出部４１ａの開口部に沿って連結ピン３７が左右方向にスライド自在に支持されている。操作部材３５の下部が連結ピン３７に接続され、バネ３８が支持軸３０に取り付けられており、バネ３８により操作部材３５が支持軸３０周りに図１２（ａ）の紙面反時計方向（連結ピン３７が図１２（ａ）の紙面右方に移動する方向）に付勢されている。
【００４４】
図１，５，７に示す状態は、予備苗のせ台５１〜５４を上下方向に所定間隔を置いて配置した第１状態に操作した状態を示しており、図１２（ａ）に示すように、連結ピン３７をリンク部材３２の連結孔３２ｃに挿入した状態である。第１状態において、最上位置の予備苗のせ台５１及び最上位置の一つ下側の予備苗のせ台５２が、前及び後支持フレーム２２，２３、支持フレーム２４の上端部よりも上方に位置している。
【００４５】
図１及び図７に示すように、第１状態において、リンク部材３１〜３４が互いに平行な状態で斜め上向きになって、リンク部材３２が支持フレーム２４の接当部２４ａに接当して、リンク部材３３が支持フレーム２４の接当部２４ｂに接当しており、支持部材４１〜４４（予備苗のせ台５１〜５４）が互いに平行な状態で略水平（又は水平から少し後下がり姿勢）になっている。図７及び図１２（ａ）に示すように、連結ピン３７をリンク部材３２の連結孔３２ｃに挿入することにより、支持部材４１とリンク部材３２との間の位置関係（横軸芯Ｐ２１を中心とした支持部材４１とリンク部材３２との角度）が固定状態となるので、予備苗のせ台５１〜５４（リンク部材３１〜３４及び支持部材４１〜４４）が第１状態に保持される。
【００４６】
図１及び図７に示すように、例えばフロア１９に立つ作業者が手でハンドル２９を持ちながら操作レバー３６を一緒に握り操作することにより、操作部材３５が支持軸３０周りに図１２（ａ）の紙面時計方向に操作され、連結ピン３７がリンク部材３２の連結孔３２ｃから抜き操作される。この状態で作業者がハンドル２９を後方に操作すると、図１及び図７から図３及び図４に示すように、リンク部材３２，３３が横軸芯Ｐ２４，Ｐ３４周りに図７の紙面時計方向に揺動操作され、これに伴ってリンク部材３１，３４が横軸芯Ｐ１２，Ｐ４２周りに図７の紙面時計方向に揺動操作される。
【００４７】
図１及び図７から図３及び図４に示すように、予備苗のせ台５１，５２が後方下方に移動し、予備苗のせ台５３，５４が前方上方に移動する状態となり、リンク部材３１〜３４が互いに上下に重なり合う状態となって、予備苗のせ台５１が最後位置に位置し、予備苗のせ台５２が予備苗のせ台５１の一つ前側に位置し、予備苗のせ台５３が予備苗のせ台５２の一つ前側に位置し、予備苗のせ台５４が最前位置に位置する。
【００４８】
これにより、図３及び図４に示すように、予備苗のせ台５１〜５４を一列状に配置した第２状態が得られる。第２状態において、前及び後支持フレーム２２，２３、支持フレーム２４の上端部付近に予備苗のせ台５１〜５４が位置しており、図４に示すように、右及び左の予備苗のせ台５１の左右方向の間隔よりも、右及び左の予備苗のせ台５４の左右方向の間隔が小さくなっている。この場合、図３に示すように、予備苗のせ台５４が前及び後支持フレーム２２，２３、支持フレーム２４の上端部よりも僅かに上側で、予備苗のせ台５１が前及び後支持フレーム２２，２３、支持フレーム２４の上端部よりも僅かに下側に位置している。
【００４９】
図３，４，８に示すように、予備苗のせ台５１〜５４を第２状態に操作すると、連結ピン３７がリンク部材３１の連結孔３１ｃに対向する位置に来るので、操作レバー３６から手を離すとバネ３８の付勢力により、連結部材３５が支持軸３０周りに図１２（ａ）の紙面反時計方向に揺動操作され、連結ピン３７がリンク部材３１の連結孔３１ｃに挿入される。これにより、支持部材４１とリンク部材３１との間の位置関係（横軸芯Ｐ１１を中心とした支持部材４１とリンク部材３１との角度）が固定状態となるので、予備苗のせ台５１〜５４（リンク部材３１〜３４及び支持部材４１〜４４）が第２状態に保持される。
【００５０】
［５］
次に、予備苗のせ台５１〜５４の第２状態から第１状態への操作について説明する。
図３及び図４に示すように、第２状態において、例えばフロア１９に立つ作業者が手でハンドル２９を持ちながら操作レバー３６を一緒に握り操作することにより、操作部材３５が支持軸３０周りに図１２（ａ）の紙面時計方向に操作され、連結ピン３７がリンク部材３１の連結孔３１ｃから抜き操作される。この状態で作業者がハンドル２９を前方に操作すると、図３及び図４から図１及び図７に示すように、リンク部材３２，３３が横軸芯Ｐ２４，Ｐ３４周りに図７の紙面反時計方向に揺動操作され、これに伴ってリンク部材３１，３４が横軸芯Ｐ１２，Ｐ４２周りに図７の紙面反時計方向に揺動操作される。
【００５１】
図３及び図４から図１及び図７に示すように、予備苗のせ台５１，５２が前方上方に移動し、予備苗のせ台５３，５４が後方下方に移動する状態となり、リンク部材３１〜３４が互いに平行な状態で斜め上向きとなり、リンク部材３２，３３が支持フレーム２４の接当部２４ａ，２４ｂに接当して、支持部材４１〜４４（予備苗のせ台５１〜５４）が互いに平行な状態で略水平（又は水平から少し後下がり姿勢）となって、予備苗のせ台５１が最上位置に位置し、予備苗のせ台５２が予備苗のせ台５１の一つ下側に位置し、予備苗のせ台５３が予備苗のせ台５２の一つ下側に位置し、予備苗のせ台５４が最下位置に位置する。
【００５２】
予備苗のせ台５１〜５４を第２状態から第１状態に操作した後、操作レバー３６から手を離して、連結ピン３７をリンク部材３２の連結孔３２ｃに挿入し、予備苗のせ台５１〜５４を第１状態に保持する。
しかしながら、予備苗のせ台５１〜５４を第１状態に完全に操作する前に、操作レバー３６から手を離すと、図１２（ｂ）に示すように、連結ピン３７がリンク部材３２の連結孔３２ｃに対向する位置に来る前に図１２（ｂ）の紙面右方に移動し、連結ピン３７がリンク部材３２に乗る状態となって、予備苗のせ台５１〜５４を第１状態に操作できない状態となる。
【００５３】
この場合に、図６及び図７に示すように、連結ピン３７が第１状態の最上位置の予備苗のせ台５１（支持部材４１）に備えられている点、連結ピン３７が支持部材４１よりも機体内方側（図６の紙面上側及び図７の紙面右側）に位置（露出）する点、連結ピン３７がリンク部材３２の上側に位置（露出）する点により、例えばフロア１９に立つ作業者が連結ピン３７の状態を目視し易い。これにより、例えばフロア１９に立つ作業者が、予備苗のせ台５１〜５４が第１状態に完全に操作されていないことを容易に認識することができる。
【００５４】
予備苗のせ台５１〜５４を第１状態から第２状態に操作する場合、予備苗のせ台５１〜５４を第２状態に完全に操作する前に、操作レバー３６から手を離すと、図１２（ｂ）に示すように、連結ピン３７がリンク部材３１の連結孔３１ｃに対向する位置に来る前に図１２（ｂ）の紙面右方に移動し、連結ピン３７がリンク部材３１に乗る状態となって、予備苗のせ台５１〜５４を第２状態に操作できない状態となる。
【００５５】
この場合に、図３及び図４に示すように、連結ピン３７が第２状態の最後位置の予備苗のせ台５１（支持部材４１）に備えられている点、連結ピン３７が支持部材４１よりも機体内方側（図６の紙面上側及び図７の紙面右側）に位置（露出）する点、連結ピン３７がリンク部材３１の上側に位置（露出）する点により、例えばフロア１９に立つ作業者が連結ピン３７の状態を目視し易い。これにより、例えばフロア１９に立つ作業者が、予備苗のせ台５１〜５４が第２状態に完全に操作されていないことを容易に認識することができる。
【００５６】
［６］
次に、予備苗のせ台５１について説明する。
図６に示すように、予備苗のせ台５１は、平面状の苗のせ面３９、苗のせ面３９の右及び左の横側部の前後方向に沿った横壁部４０、前項［３］に記載の受け部２６、苗のせ面３９の前部及び後部の端部に形成された切り欠き部４５、苗のせ面３９に備えられた６個の自由回転自在なローラー４６等を備えて構成されている。予備苗のせ台５１の横壁部４０の前側及び後側の端部４０ａが、右及び左の横外方に開く形状に構成されている。ローラー４６の間隔Ｌ３が苗Ａ（苗箱５６）の長手方向の長さＬ１よりも短いものに設定されている。
【００５７】
図５及び図６に示すように、苗のせ面３９の後部の支持部材４１とは反対側の部分に、逆Ｕ字状の止め部４７が固定されている。図６，９（ａ），１０（ａ）に示すように、丸棒材を折り曲げて構成された阻止部材４８が予備苗のせ台５１の下部に備えられて、予備苗のせ台５１の下部の左右方向の横軸芯Ｐ２周りに阻止部材４８が揺動自在に支持されており、阻止部材４８の一方の端部が逆Ｕ字状に折り曲げられて止め部４８ａが構成され、苗のせ面３９の前部の支持部材４１側の部分の開口部３９ａに、止め部４８ａが下側から臨んでいる。
【００５８】
図６，９（ａ），１０（ａ），１１に示すように、支持部材４１がリンク部材３１の横軸芯Ｐ１１周りに揺動自在に接続される場合、リンク部材３１に支持軸３１ａが固定されて、リンク部材３１の支持軸３１ａ（横軸芯Ｐ１１）周りに、支持部材４１が揺動自在に接続されている。阻止部材４８の他方の端部がリンク部材３１の支持軸３１ａの位置に延出されて、阻止部材４８の他方の端部にローラー４８ｂが回転自在に支持されている。
【００５９】
図６，９（ａ），１０（ａ），１１に示すように、リンク部材３１の支持軸３１ａにカム部材３１ｂが固定され、阻止部材４８を横軸芯Ｐ２周りに図１０（ａ）の紙面反時計方向に付勢するバネ５０が備えられており、バネ５０により阻止部材４８の止め部４８ａが下方に付勢され、阻止部材４８のローラー４８ｂが上方に付勢されてリンク部材３１のカム部材３１ｂに押圧されている。
【００６０】
［７］
次に、予備苗のせ台５２，５３について説明する。
図９（ｂ）及び図１０（ｂ）に示すように、予備苗のせ台５２，５３は、予備苗のせ台５１と同様に、苗のせ面３９、横壁部４０、受け部２６、切り欠き部４５、及びローラー４６等を備えて構成されている。
【００６１】
図９（ｂ）及び図１０（ｂ）に示すように、丸棒材を折り曲げて構成された阻止部材４９が予備苗のせ台５２，５３の下部に備えられて、予備苗のせ台５２，５３の下部の左右方向の横軸芯Ｐ３周りに阻止部材４９が揺動自在に支持されている。阻止部材４９の一方の端部が逆Ｕ字状に折り曲げられて止め部４９ａが構成されており、苗のせ面３９の後部の支持部材４２，４３側の部分の開口部３９ａに止め部４９ａが下側から臨んでいる。
【００６２】
図９（ｂ）及び図１０（ｂ）に示すように、丸棒材を折り曲げて構成された阻止部材４８が予備苗のせ台５２，５３の下部に備えられて、予備苗のせ台５２，５３の下部の左右方向の横軸芯Ｐ４周りに阻止部材４８が揺動自在に支持されている。阻止部材４８の一方の端部が逆Ｕ字状に折り曲げられて止め部４８ａが構成されており、苗のせ面３９の前部の支持部材４２，４３側の部分の開口部３９ａに止め部４８ａが下側から臨んでいる。
【００６３】
図９（ｂ），１０（ｂ），１１に示すように、支持部材４２，４３がリンク部材３２，３３の横軸芯Ｐ２２，Ｐ３２周りに揺動自在に接続される場合、リンク部材３２，３３に支持軸３２ａ，３３ａが固定されて、リンク部材３１の支持軸３２ａ，３３ａ（横軸芯Ｐ２２，Ｐ３２）周りに、支持部材４２，４３が揺動自在に接続されている。阻止部材４９の他方の端部がリンク部材３２，３３の支持軸３２ａ，３３ａの位置に延出されて、阻止部材４９の他方の端部にローラー４９ｂが回転自在に支持されている。
【００６４】
図９（ｂ），１０（ｂ），１１に示すように、リンク部材３２，３３の支持軸３２ａ，３３ａにカム部材３２ｂ，３３ｂが固定され、阻止部材４８の他方の端部に固定された連係金具４８ｃが、阻止部材４９のローラー４９ｂの付近に接続されている。阻止部材４９を横軸芯Ｐ３周りに図１０（ｂ）の紙面時計方向に付勢するバネ５０が備えられており、バネ５０により阻止部材４８，４９の止め部４８ａ，４９ａが下方に付勢され、阻止部材４９のローラー４９ｂが上方に付勢されてリンク部材３２，３３のカム部材３２ｂ，３３ｂに押圧されている。
【００６５】
［８］
次に、予備苗のせ台５４について説明する。
図９（ｃ）及び図１０（ｃ）に示すように、予備苗のせ台５４は、予備苗のせ台５１，５２，５３と同様に、苗のせ面３９、横壁部４０、受け部２６、切り欠き部４５、及びローラー４６等を備えて構成されている。
【００６６】
図９（ｃ）及び図１０（ｃ）に示すように、苗のせ面３９の前部の支持部材４４とは反対側の部分に、逆Ｕ字状の止め部５５（図５参照）が固定されている。丸棒材を折り曲げて構成された阻止部材４９が予備苗のせ台５４の下部に備えられて、予備苗のせ台５４の下部の左右方向の横軸芯Ｐ５周りに阻止部材４９が揺動自在に支持されており、阻止部材４９の一方の端部が逆Ｕ字状に折り曲げられて止め部４９ａが構成され、苗のせ面３９の後部の支持部材４４側の部分の開口部３９ａに、止め部４９ａが下側から臨んでいる。
【００６７】
図９（ｃ），１０（ｃ），１１に示すように、支持部材４４がリンク部材３４の横軸芯Ｐ４２周りに揺動自在に接続される場合、リンク部材３４に支持軸３４ａが固定されて、リンク部材３４の支持軸３４ａ（横軸芯Ｐ４２）周りに、支持部材４４が揺動自在に接続されている。阻止部材４９の他方の端部がリンク部材３４の支持軸３４ａの位置に延出されて、阻止部材４９の他方の端部にローラー４９ｂが回転自在に支持されている。
【００６８】
図９（ｃ），１０（ｃ），１１に示すように、リンク部材３４の支持軸３４ａにカム部材３４ｂが固定され、阻止部材４９を横軸芯Ｐ５周りに図１０（ｃ）の紙面時計方向に付勢するバネ５０が備えられており、バネ５０により阻止部材４９の止め部４９ａが下方に付勢され、阻止部材４９のローラー４９ｂが上方に付勢されてリンク部材３４のカム部材３４ｂに押圧されている。
【００６９】
［９］
次に、苗のせ台１０及び予備苗のせ台５１〜５４への苗の供給について説明する。
図１５（ａ）に示すように、一般に合成樹脂製の苗箱５６において、苗Ａがマット状に生育されている。先ず苗のせ台１０に苗Ａを供給する場合、機体の前端部が畦に接するように機体の向きを設定した後、図３及び図４に示すように、予備苗のせ台５１〜５４を第２状態に操作する。
【００７０】
図９（ａ）〜１０（ｃ）に示すように、予備苗のせ台５１〜５４を第１及び第２状態に操作するのに伴って、予備苗のせ台５１〜５４とリンク部材３１〜３４の支持軸３１ａ〜３４ａとが互いに相対回転し、阻止部材４８，４９のローラー４８ｂ，４９ｂに対して、リンク部材３１〜３４のカム部材３１ｂ〜３４ｂが回転することになる。
【００７１】
これにより、図９（ａ）〜１０（ｃ）に示すように、予備苗のせ台５１〜５４を第２状態に操作すると、リンク部材３１〜３４のカム部材３１ｂ〜３４ｂにより、阻止部材４８，４９のローラー４８ｂ，４９ｂが下方に押し操作されず、阻止部材４８，４９の止め部４８ａ，４９ａが、予備苗のせ台５１〜５４の苗のせ面３９の開口部３９ａに入り込んだ退避姿勢に操作される（図１０（ａ）（ｂ）（ｃ）の二点鎖線参照）。
【００７２】
図３，４，１５（ａ）に示すように、予備苗のせ台５１〜５４を第２状態に操作した状態において、畦の作業者が予備苗のせ台５４に苗Ａ（苗箱５６）を供給し、苗Ａ（苗箱５６）を予備苗のせ台５１〜５４に載せた状態で後方に移動させ、苗Ａ（苗箱５６）を予備苗のせ台５１の止め部４７に接当させて止めるのであり、フロア１９の作業者が予備苗のせ台５１から苗Ａ（苗箱５６）を取り出して、苗Ａを苗のせ台１０に供給する。
【００７３】
図３及び図１５（ａ）に示すように、第２状態で、予備苗のせ台５１〜５４に苗Ａ（苗箱５６）を載置していない状態において、予備苗のせ台５１〜５４の各々が少し後下がり状態となり、予備苗のせ台５４と予備苗のせ台５３との間に少し段差が生じ（予備苗のせ台５４が高側で、予備苗のせ台５３が低側）、予備苗のせ台５３と予備苗のせ台５２との間に少し段差が生じ（予備苗のせ台５３が高側で、予備苗のせ台５２が低側）、予備苗のせ台５２と予備苗のせ台５１との間に少し段差が生じ（予備苗のせ台５２が高側で、予備苗のせ台５１が低側）、予備苗のせ台５１〜５４が全体的に少し後下がり状態となっている。予備苗のせ台５１〜５４の第２状態において、前及び後支持フレーム２２，２３、支持フレーム２４の上端部と予備苗のせ台５２，５３の上端部とが略同じ高さ（又は支持フレーム２４の上端部よりも、予備苗のせ台５２，５３の上端部が少し高い状態）になっている。
【００７４】
これにより図３，４，１５（ａ）に示すように、苗Ａ（苗箱５６）を予備苗のせ台５１〜５４に載せた状態で後方に移動させる場合、苗Ａ（苗箱５６）が予備苗のせ台５４から予備苗のせ台５３に移る際、苗Ａ（苗箱５６）が予備苗のせ台５３から予備苗のせ台５２に移る際、苗Ａ（苗箱５６）が予備苗のせ台５２から予備苗のせ台５１に移る際、苗Ａ（苗箱５６）の底部が予備苗のせ台５３（５２，５１）に引っ掛かるようなことがない。
【００７５】
図６に示すように、苗Ａ（苗箱５６）を予備苗のせ台５１〜５４に載せた状態で後方に移動させる場合、予備苗のせ台５１の横壁部４０の前側及び後側の端部４０ａが、右及び左の横外方に開く形状に構成されていることにより、苗Ａ（苗箱５６）が予備苗のせ台５４から予備苗のせ台５３に移る際、苗Ａ（苗箱５６）が予備苗のせ台５３から予備苗のせ台５２に移る際、苗Ａ（苗箱５６）が予備苗のせ台５２から予備苗のせ台５１に移る際、苗Ａ（苗箱５６）の右又は左の角部が予備苗のせ台５３（５２，５１）の右又は左の横壁部４０の端部４０ａに引っ掛かるようなことがない。
【００７６】
図３，４，１５（ａ）に示すように、苗Ａ（苗箱５６）を予備苗のせ台５１〜５４に載せた状態で後方に移動させる場合、苗Ａ（苗箱５６）の底部がローラー４６に乗って円滑に移動する。
この場合、図６に示すように、ローラー４６の間隔Ｌ３が苗Ａ（苗箱５６）の長手方向の長さＬ１よりも短いものに設定されていることにより、隣接するローラー４６の間に苗Ａ（苗箱５６）が入り込んでしまうようなことがなく、いずれかのローラー４６が苗Ａ（苗箱５６）の底部に接触している。この状態は、予備苗のせ台５４の後部のローラー４６と予備苗のせ台５３の前部のローラー４６、予備苗のせ台５３の後部のローラー４６と予備苗のせ台５２の前部のローラー４６、予備苗のせ台５２の後部のローラー４６と予備苗のせ台５１の前部のローラー４６においても同様に生じる。
【００７７】
［１０］
前項［９］に記載の作業を行って、苗のせ台１０への苗の供給が終了すると、次に予備苗のせ台５１〜５４に苗Ａ（苗箱５６）を載置する。
予備苗のせ台５１〜５４を第２状態に操作した状態において、図１５（ｂ）に示すように、予備苗のせ台５１〜５４に４枚の苗Ａ（苗箱５６）を載置し、このうち前の３枚の苗Ａ（苗箱５６）を前方に詰めて移動させて、予備苗のせ台５４の止め部５５に接当させ、後の１枚の苗Ａ（苗箱５６）を後方に移動させて、予備苗のせ台５１の止め部４７に接当させる。
【００７８】
図６及び図１５（ａ）に示すように、苗Ａ（苗箱５６）の長手方向の長さＬ１よりも、予備苗のせ台５１〜５４の長手方向の長さＬ２が長いものに設定されている。これにより図１５（ｂ）に示すように、予備苗のせ台５２，５３，５４の後部（図１５（ｂ）の紙面右側）から苗Ａ（苗箱５６）が前側（図１５（ｂ）の紙面左側）に入る状態となり、予備苗のせ台５１の前部（図１５（ｂ）の紙面左側）から苗Ａ（苗箱５６）が後側（図１５（ｂ）の紙面右側）に入る状態となる。
【００７９】
図１５（ｂ）に示す状態において、図１５（ｃ）に示すように、予備苗のせ台５１〜５４を第２状態から第１状態に操作し始めると、リンク部材３２，３３が横軸芯Ｐ２４，Ｐ３４周りに図１５（ｃ）の紙面反時計方向に揺動操作され、これに伴ってリンク部材３１，３４が横軸芯Ｐ１２，Ｐ４２周りに図１５（ｃ）の紙面反時計方向に揺動操作される。これにより、予備苗のせ台５１，５２が前方上方に移動し、予備苗のせ台５３，５４が後方下方に移動する状態となる。
【００８０】
図１５（ｃ）に示すように、予備苗のせ台５１〜５４を第２状態から第１状態に操作する途中の状態において、予備苗のせ台５４の苗Ａ（苗箱５６）の後部（図１５（ｃ）の紙面右側の上部）と予備苗のせ台５３の前部（図１５（ｃ）の紙面左側）とが接近する。予備苗のせ台５３の苗Ａ（苗箱５６）の後部（図１５（ｃ）の紙面右側の上部）と予備苗のせ台５２の前部（図１５（ｃ）の紙面左側）とが接近する。予備苗のせ台５２の苗Ａ（苗箱５６）の後部（図１５（ｃ）の紙面右側の上部）と予備苗のせ台５１の前部（図１５（ｃ）の紙面左側）とが接近する。
【００８１】
この場合に、図６及び図１５（ａ）に示すように、苗Ａ（苗箱５６）の長手方向の長さＬ１よりも、予備苗のせ台５１〜５４の長手方向の長さＬ２が長いものに設定されている点、予備苗のせ台５２，５３，５４の後部（図１５（ｃ）の紙面右側）から苗Ａ（苗箱５６）が前側（図１５（ｃ）の紙面左側）に入る状態となる点、予備苗のせ台５１の前部（図１５（ｃ）の紙面左側）から苗Ａ（苗箱５６）が後側（図１５（ｃ）の紙面右側）に入る状態となる点により、予備苗のせ台５４の苗Ａ（苗箱５６）の後部（図１５（ｃ）の紙面右側の上部）と予備苗のせ台５３の前部（図１５（ｃ）の紙面左側）との接触が回避される。予備苗のせ台５３の苗Ａ（苗箱５６）の後部（図１５（ｃ）の紙面右側の上部）と予備苗のせ台５２の前部（図１５（ｃ）の紙面左側）との接触が回避される。予備苗のせ台５２の苗Ａ（苗箱５６）の後部（図１５（ｃ）の紙面右側の上部）と予備苗のせ台５１の前部（図１５（ｃ）の紙面左側）との接触が回避される（接触したとしても、苗Ａが傷められるような接触にはならない）。
【００８２】
図９（ａ）〜１０（ｃ）に示すように、予備苗のせ台５１〜５４を第１状態から第２状態に操作し始めると、リンク部材３１〜３４のカム部材３１ｂ〜３４ｂにより、阻止部材４８，４９のローラー４８ｂ，４９ｂが下方に押し操作されて、阻止部材４８，４９の止め部４８ａ，４９ａが、予備苗のせ台５１〜５４の苗のせ面３９の開口部３９ａから上方に突出する作用姿勢に早期に操作される（図１０（ａ）（ｂ）（ｃ）の実線参照）。
【００８３】
これにより、予備苗のせ台５１〜５４を第１状態に操作すると、阻止部材４８の止め部４８ａが、予備苗のせ台５２，５３の苗Ａ（苗箱５６）を下側から持ち上げるような状態となるので、図１５（ｄ）に示すように、フロア１９の作業者が苗Ａ（苗箱５６）を手で押して、予備苗のせ台５２，５３における阻止部材４８，４９の止め部４８ａ，４９ａの間に位置させる。
【００８４】
［１１］
前項［１０］に記載の作業を行って、予備苗のせ台５１〜５４に苗Ａ（苗箱５６）を載置した状態で、予備苗のせ台５１〜５４を第１状態に操作した場合、前項［１０］の記載及び図１５（ｄ）に示すように、苗Ａ（苗箱５６）を予備苗のせ台５２，５３における阻止部材４８，４９の止め部４８ａ，４９ａの間、予備苗のせ台５１における阻止部材４８の止め部４８ａと止め部４７との間、予備苗のせ台５４における阻止部材４９の止め部４９ａと止め部５５との間に位置させたとする。
【００８５】
図１５（ｄ）に示す状態において、予備苗のせ台５１〜５４を第１状態から第２状態に操作すると、前項［１０］の記載及び図１５（ｃ）に示すように、予備苗のせ台５４の苗Ａ（苗箱５６）の後部（図１５（ｃ）の紙面右側の上部）と予備苗のせ台５３の前部（図１５（ｃ）の紙面左側）とが接近する。予備苗のせ台５３の苗Ａ（苗箱５６）の後部（図１５（ｃ）の紙面右側の上部）と予備苗のせ台５２の前部（図１５（ｃ）の紙面左側）とが接近する。予備苗のせ台５２の苗Ａ（苗箱５６）の後部（図１５（ｃ）の紙面右側の上部）と予備苗のせ台５１の前部（図１５（ｃ）の紙面左側）とが接近する。
【００８６】
この場合、苗Ａ（苗箱５６）が予備苗のせ台５２，５３における阻止部材４８，４９の止め部４８ａ，４９ａの間、予備苗のせ台５１における阻止部材４８の止め部４８ａと止め部４７との間、予備苗のせ台５４における阻止部材４９の止め部４９ａと止め部５５との間に位置していることにより、苗Ａ（苗箱５６）の前部が予備苗のせ台５１〜５４の前部から後側に位置し、苗Ａ（苗箱５６）の後部が予備苗のせ台５１〜５４の後部から前側に位置している。
【００８７】
これにより、図１５（ｃ）において、予備苗のせ台５４の苗Ａ（苗箱５６）の後部（図１５（ｃ）の紙面右側の上部）と予備苗のせ台５３の前部（図１５（ｃ）の紙面左側）との接触が回避される。予備苗のせ台５３の苗Ａ（苗箱５６）の後部（図１５（ｃ）の紙面右側の上部）と予備苗のせ台５２の前部（図１５（ｃ）の紙面左側）との接触が回避される。予備苗のせ台５２の苗Ａ（苗箱５６）の後部（図１５（ｃ）の紙面右側の上部）と予備苗のせ台５１の前部（図１５（ｃ）の紙面左側）との接触が回避される。
【００８８】
以下、本発明の実施形態について説明する。この場合、本発明の実施形態において前述の参考形態と異なる部分について説明しており、その他の部分は前述の参考形態と同様である。
［本発明の実施形態］
前述の［参考形態］に代えて、図１６に示すように構成してもよい。
図１６に示すように、側面視において、リンク部材３１〜３４を逆向きに配置してもよい。このように構成した場合、ハンドル２９、操作レバー３６及び連結ピン３７を支持部材４４に備える。
【００８９】
これにより、図１６に示すように、予備苗のせ台５１〜５４を第１状態から第２状態に操作すると、予備苗のせ台５１，５２が前方下方に移動し、予備苗のせ台５３，５４が後方上方に移動する状態となり、予備苗のせ台５１が最前位置に位置し、予備苗のせ台５２が予備苗のせ台５１の一つ後側に位置し、予備苗のせ台５３が予備苗のせ台５２の一つ後側に位置し、予備苗のせ台５４が最後位置に位置する。
【００９０】
［発明の実施の別形態］
前述の［参考形態］［本発明の実施形態］のローラー４６に代えて、予備苗のせ台５１〜５４の苗のせ面３９から上方に突出する固定の凸部（図示せず）を、予備苗のせ台５１〜５４の苗のせ面３９に一体的に形成してもよい。
本発明は４個の予備苗のせ台５１〜５４に対してばかりではなく、３個の予備苗のせ台５１，５２，５３に対しても適用できる。
【符号の説明】
【００９１】
２２，２３，２４        支持フレーム
２４ａ，２４ｂ          接当部
３２                    第１リンク部材
３３                    第２リンク部材
３１                    第３リンク部材
４１                    上段の支持部材
４２                    中段の支持部材
４３                    下段の支持部材
５１                    上段の予備苗のせ台
５２                    中段の予備苗のせ台
５３                    下段の予備苗のせ台
Ｐ３４                  前横軸芯
Ｐ２４                  後横軸芯
Ｐ２２                  第１横軸芯
Ｐ２１                  第２横軸芯
Ｐ２３                  第３横軸芯
Ｐ１２                  第４横軸芯
Ｐ１１                  第５横軸芯
Ｐ３１                  第６横軸芯
Ｐ３２                  第７横軸芯
【図１】
0005422072.tif 000002
【図２】
0005422072.tif 000003
【図３】
0005422072.tif 000004
【図４】
0005422072.tif 000005
【図５】
0005422072.tif 000006
【図６】
0005422072.tif 000007
【図７】
0005422072.tif 000008
【図８】
0005422072.tif 000009
【図９】
0005422072.tif 000010
【図１０】
0005422072.tif 000011
【図１１】
0005422072.tif 000012
【図１２】
0005422072.tif 000013
【図１３】
0005422072.tif 000014
【図１４】
0005422072.tif 000015
【図１５】
0005422072.tif 000016
【図１６】
0005422072.tif 000017